(57)【要約】【課題】封緘を解除する際に消耗品が生じることを回避し、鍵管理のためのランニングコストを低減する。【解決手段】可動部（２）および本体部（３）は、キーホルダとは別体のものとして構成され、本体部（３）に対する可動部（２）の相対位置を変位させることで、リング端部（１ａ）が封緘された状態と、リング端部（１ａ）の封緘が解除された状態とが切替え可能となる。【選択図】図１
2015161149.tif 000002
【特許請求の範囲】
【請求項１】
鍵の着脱が可能なリング端部を有するキーリングの当該リング端部を封緘する封緘ユニットであって、
上記リング端部を保持する保持部を備えた可動部と、
上記可動部が変位可能に支持される本体部と、を備え、
上記可動部および上記本体部は、キーホルダとは別体のものとして構成され、
上記本体部に対する上記可動部の相対位置を変位させることで、上記リング端部が封緘された状態と、上記リング端部の封緘が解除された状態とが切替え可能となっていることを特徴とする封緘ユニット。
【請求項２】
上記本体部に対する上記可動部の相対位置が、上記リング端部が封緘された状態となる位置関係において、上記可動部の変位を阻止する可動部変位阻止機構を備えていることを特徴とする請求項１に記載の封緘ユニット。
【請求項３】
上記可動部変位阻止機構は、
向かい合う磁石同士が互いに反発して変位可能なよう、上記可動部内において対向する位置に配置された磁石対と、
上記本体部に対する上記可動部の相対位置が、上記リング端部が封緘された状態となる位置関係において、上記磁石対における磁石同士が反発して離間することで嵌入するよう、上記本体部に形成された嵌入孔と、から構成されることを特徴とする請求項２に記載の封緘ユニット。
【請求項４】
上記キーリングの上記リング端部には段差が形成されており、
上記保持部には、上記キーリングが特定の方向のみにおいて上記保持部に対して着脱されるよう、上記段差の形状に合わせてリブが形成されていることを特徴とする請求項１から３までのいずれか１項に記載の封緘ユニット。
【請求項５】
請求項１から４までのいずれか１項に記載の封緘ユニットの封緘を解除する封緘解除装置であって、
上記封緘ユニットが挿入される挿入孔を備え、
上記挿入孔に上記封緘ユニットを挿入することで、上記リング端部の封緘が解除された状態となることを特徴とする封緘解除装置。
【請求項６】
請求項５に記載の封緘解除装置を備えていることを特徴とする鍵管理装置。
【発明の詳細な説明】
【技術分野】
【０００１】
本発明は、鍵を吊るすためのキーリングを封緘する封緘ユニット、該封緘ユニットの封緘を解除する封緘解除装置、および該封緘解除装置を備える鍵管理装置に関する。
【背景技術】
【０００２】
従来、盗難や人目に触れること等から守るため、貴重品や機密物を一定の容器や構築物などに収納し、その容器や構築物などの開口部を、例えば、特許文献１に記載されているような、嵌め殺し型の封緘具を用いて封絨することが行われている。この嵌め殺し型の封緘具は、封緘を解除する際に、封緘具を破壊する必要がある。
【０００３】
また、鍵を吊るしたキーリングをキーホルダに取り付け、このキーホルダを鍵管理装置の所定箇所に差し込むようにすることで、多数の重要な鍵をまとめて管理することが行われている。このような鍵管理装置の中には、キーリングの封緘に、嵌め殺し型の封緘具を使用するものがある。この嵌め殺し型の封緘具を使用する鍵管理装置では、鍵の付け替えの際、キーホルダ、キーリング、または封緘具のいずれかを破壊する必要がある。
【先行技術文献】
【特許文献】
【０００４】
【特許文献１】実開平７−３２１４０号公報（１９９５年６月１６日公開）
【発明の概要】
【発明が解決しようとする課題】
【０００５】
しかしながら、上述のような従来の嵌め殺し型の封緘具では、封緘を解除する度に、封緘具を破壊するしかないため、この封緘具が消耗品となってしまうという問題点がある。また、上記従来の鍵管理装置では、鍵の付け替えを行う度にキーホルダ、キーリング、または封緘具のいずれかを破壊するしかないため、これらの物品が消耗品となってしまい、鍵管理のためのランニングコストが嵩んでしまうという問題点がある。
【０００６】
本発明は、上記の問題点に鑑みて為されたものであって、その目的は、封緘を解除する際に消耗品が生じることを回避し、鍵管理のためのランニングコストを低減できる封緘ユニットなどを提供することにある。
【課題を解決するための手段】
【０００７】
本発明の一態様に係る封緘ユニットは、上記の課題を解決するために、鍵の着脱が可能なリング端部を有するキーリングの当該リング端部を封緘する封緘ユニットであって、上記リング端部を保持する保持部を備えた可動部と、上記可動部が変位可能に支持される本体部と、を備え、上記可動部および上記本体部は、キーホルダとは別体のものとして構成され、上記本体部に対する上記可動部の相対位置を変位させることで、上記リング端部が封緘された状態と、上記リング端部の封緘が解除された状態とが切替え可能となっていることを特徴とする。
【０００８】
上記構成によれば、本体部に対する可動部の相対位置を変位させるだけで、キーリングまたは封緘ユニットを破壊することなく封緘を解除することができる。このため、封緘を解除する際に消耗品が生じることがない。
【０００９】
また、上記構成によれば、キーリングおよび封緘ユニットを用意するだけで、封緘された状態と、封緘が解除された状態との切替え機能を、既存の鍵管理装置などに後付けで付加可能になる。さらに、本発明の封緘ユニットは、可動部および本体部がキーホルダとは別体であるので、既存のキーホルダをそのまま使用して鍵の管理を実現することができる。
【００１０】
このように、キーリングおよび封緘ユニットと、既存の鍵管理装置とを経年使用でき、鍵の付け替えのために封緘を解除しても消耗品が発生しないので、鍵管理のためのランニングコストを低減できる。
【００１１】
以上によれば、封緘を解除する際に消耗品が生じることを回避し、鍵管理のためのランニングコストを低減できる。
【００１２】
また、本発明の一態様に係る封緘ユニットは、上記の構成に加えて、上記本体部に対する上記可動部の相対位置が、上記リング端部が封緘された状態となる位置関係において、上記可動部の変位を阻止する可動部変位阻止機構を備えていても良い。
【００１３】
上記構成によれば、本体部に対する可動部の相対位置が変位して、ユーザの意図に反して封緘が解除された状態となることを阻止することができる。
【００１４】
また、本発明の一態様に係る封緘ユニットは、上記の構成に加えて、上記可動部変位阻止機構は、向かい合う磁石同士が互いに反発して変位可能なよう、上記可動部内において対向する位置に配置された磁石対と、上記本体部に対する上記可動部の相対位置が、上記リング端部が封緘された状態となる位置関係において、上記磁石対における磁石同士が反発して離間することで嵌入するよう、上記本体部に形成された嵌入孔と、から構成されていても良い。
【００１５】
上記構成によれば、嵌入孔に磁石が嵌入することで、本体部に対する可動部の相対位置が変位して、ユーザの意図に反して封緘が解除された状態となることを阻止することができる。
【００１６】
また、本発明の一態様に係る封緘ユニットは、上記キーリングの上記リング端部には段差が形成されており、上記保持部には、上記キーリングが特定の方向のみにおいて上記保持部に対して着脱されるよう、上記段差の形状に合わせてリブが形成されている構成である。
【００１７】
上記構成によれば、保持部に形成されたリブにより、鍵の着脱が可能なリング端部を、保持部に確実に保持させることができる。これにより、キーリングのリング端部でない部分が保持部に誤って保持されてしまうことによって、鍵の着脱が自由にできてしまうという状況を阻止することができる。
【００１８】
また、本発明の一態様に係る封緘解除装置は、上記のいずれかの封緘ユニットの封緘を解除する封緘解除装置であって、上記封緘ユニットが挿入される挿入孔を備え、上記挿入孔に上記封緘ユニットを挿入することで、上記リング端部の封緘が解除された状態となる構成である。
【００１９】
上記構成によれば、封緘解除装置の挿入孔に封緘ユニットを挿入するだけで、キーリングまたは封緘ユニットを破壊することなく簡単に封緘を解除することができる。
【００２０】
また、本発明の一態様に係る鍵管理装置は、上記構成の封緘解除装置を備える構成である。
【００２１】
上記構成によれば、封緘を解除する際に消耗品が生じることを回避し、低いランニングコストで経年的な鍵管理を行うことができる。また、封緘解除装置の挿入孔に封緘ユニットを挿入するだけで封緘を解除することができるため、例えば、キーホルダを鍵管理装置に差し込んだままの状態で、鍵交換が可能になる。
【発明の効果】
【００２２】
本発明は、封緘を解除する際に消耗品が生じることを回避し、鍵管理のためのランニングコストを低減できるという効果を奏する。
【図面の簡単な説明】
【００２３】
【図１】本発明の実施形態１に係る封緘ユニット、および該封緘ユニットに用いられる封緘解除装置の外観もしくは構造を示す図であり、（ａ）は、上記封緘ユニット（封緘されている状態）および上記封緘解除装置の外観を示す斜視図であり、（ｂ）は、図１の（ａ）に示す封緘ユニットの内部構造を示す断面図であり、（ｃ）は、上記封緘ユニット（封緘が解除されている状態）および上記封緘解除装置の外観を示す斜視図であり、（ｄ）は、図１の（ｃ）に示す封緘ユニットの内部構造を示す断面図である。
【図２】上記封緘ユニットの構造の詳細および外観を示す図であり、（ａ）は、上記封緘ユニットを分解したときの様子を示す分解構造図であり、（ｂ）は、封緘ユニットにおける本体部からの可動部の抜け止めを防止する機構を示す断面図であり、（ｃ）は、上記封緘ユニットの外観（管理番号刻印側）を示す図であり、（ｄ）は、上記封緘ユニットの外観（シール貼付用凹部側）を示す図である。
【図３】上記封緘ユニットの保持部にキーリングのリング端部を保持させたときの状態を示す図であり、（ａ）は、上記封緘ユニットの保持部にリング端部を保持させたときの状態を示す側面図であり、（ｂ）は、その正面図であり、（ｃ）は、図３の（ｂ）に示す正面図の部分拡大図であり、（ｄ）は、上記封緘ユニットの保持部にリング端部を保持させたときにおけるキーリングの回動範囲を示す図である。
【図４】上記封緘解除装置の外観および構造を示す図であり、（ａ）は、上記封緘解除装置の外観を示す斜視図であり、（ｂ）は、上記封緘解除装置の構造（ロック時）を示す断面図であり、（ｃ）は、上記封緘解除装置の構造（ロック解除時）を示す断面図であり、（ｄ）は、上記封緘解除装置の挿入孔の内部を見たときの様子（ロック時）を示す図であり、（ｅ）は、上記封緘ユニットの上記封緘解除装置の挿入孔への挿入前の様子を示す図である。
【図５】本発明の実施形態２に係る鍵管理装置または実施形態３に係る鍵管理システムの構成などを示す図であり、（ａ）は、本発明の実施形態２に係る一体型の鍵管理装置の外観を示す図であり、（ｂ）は、本発明の実施形態２に係る外付け型の鍵管理装置の外観を示す図であり、（ｃ）は、本発明の実施形態３に係る鍵管理システムの外観を示す図であり、（ｄ）は、上記鍵管理装置または鍵管理システムで管理する封緘ユニット付きキーホルダの構成を示す図である。
【図６】上記封緘ユニットのオプションを示す図であり、（ａ）は、上記封緘ユニットにオプションとしての磁性体ケースを装着する前の様子を示す図であり、（ｂ）は、上記封緘ユニットに上記磁性体ケースを装着した後の様子を示す図であり、（ｃ）は、上記封緘ユニットにオプションとしてのＲＦＩＤ（Radio Frequency Identification）タグを搭載したときの様子を示す図である。
【発明を実施するための形態】
【００２４】
本発明を実施するための形態について図１〜図６に基づいて説明すれば以下のとおりである。以下、特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００２５】
〔実施形態１〕
図１の（ａ）は、本発明の実施形態１に係る封緘ユニット１０（封緘されている状態）および封緘ユニット１０に用いられる封緘解除装置２０の外観を示す斜視図である。図１の（ｂ）は、図１の（ａ）に示す封緘ユニット１０の内部構造を示す断面図である。図１の（ｂ）に示すように、封緘ユニット１０は、キーリング１（封緘ユニット１０と別体とみても良い）、可動部２、本体部３、１対の磁石対４、およびバネ５を備える。
【００２６】
キーリング１は、鍵の着脱が可能なリング端部１ａを有している。本実施形態のキーリング１の径は、Φ２８ｍｍ程度であるが、キーリングの径はこれに限定されない。可動部２は、リング端部１ａを保持する保持部２ａを備える。可動部２の保持部２ａの側と反対側は、本体部３の内部に挿通され、本体部３は、可動部２を紙面に対して左右方向に変位可能に支持する。封緘ユニット１０は、本体部３に対する可動部２の相対位置を変位させることで、リング端部１ａが封緘された状態〔図１の（ｂ）に示す状態〕と、リング端部１ａの封緘が解除された状態〔図１の（ｄ）に示す状態〕とが切替え可能となっている。
【００２７】
図１の（ａ）に示すように、封緘ユニット１０が、封緘解除装置２０の挿入孔２１ｈに挿入されていない状態では、図１の（ｂ）に示すように、可動部２は、本体部３に対して相対的に紙面に対して右側（本体部３の内側）寄りに変位している。これにより、封緘ユニット１０は、図１の（ｄ）に示す紙面に対して上側に空いた保持部２ａの口が閉じた状態（封が閉じた状態）となっている。このため、キーリング１は取り外し不可の状態となり、キーリング１のリング端部１ａは、封緘ユニット１０の保持部２ａによって封緘された状態となる。このとき、バネ５は、弾性的に縮んだ状態にあり、可動部２を本体部３に対して相対的に紙面に対して左側へ付勢している。
【００２８】
また、封緘ユニット１０は、本体部３に対する可動部２の相対位置が、図１の（ｂ）に示すリング端部１ａが封緘された状態となる位置関係において、可動部２の変位を阻止する可動部変位阻止機構を備えている。本実施形態の可動部変位阻止機構は、後述するように磁石対４および嵌入孔３ａの組合せで構成される。より具体的には、同図に示すように、封緘ユニット１０は、向かい合うマグネット同士が互いに反発して変位可能なよう、可動部２内において対向する位置に配置された磁石対４を備える。磁石対４は、比較的磁力の弱いマグネットの各対がＮ極どうし（または、Ｓ極どうし）を対向させて互いに反発し合うように配置されている。
【００２９】
また、同図に示すように、本体部３に対する可動部２の相対位置が、リング端部１ａが封緘された状態となる位置関係においては、磁石対４におけるマグネット同士が反発して互いに離間することで、各マグネットが、本体部３の内部に形成された嵌入孔３ａに嵌入する。
【００３０】
このように、嵌入孔３ａにマグネットが嵌入することで、可動部２が変位して、ユーザの意図に反して封緘が解除された状態となることが阻止される。なお、本実施形態では、磁石対４の数は１対であるが、磁石対４の数はこれに限定されない。例えば、磁石対４の数は、２対以上であっても良い。また、嵌入孔３ａの数は、磁石対４の数に合わせて設定される。
【００３１】
また、本実施形態の可動部変位阻止機構は、上述したように磁石対４および嵌入孔３ａの組合せで構成されているが、可動部変位阻止機構はこのような形態に限定されない。例えば、マグネットではなく板バネを用い（可動部が板バネを備える構成とし）、封緘状態において板バネと係合するような窪みを本体部に設ける構成などであっても良い。すなわち、可動部変位阻止機構は封緘状態において可動部の変位を阻止する機構であれば、どのような構成を採用しても良い。
【００３２】
次に、図１の（ｃ）は、封緘ユニット１０（封緘が解除されている状態）および封緘解除装置２０の外観を示す斜視図である。図１の（ｄ）は、図１の（ｃ）に示す封緘ユニット１０の内部構造を示す断面図である。図１の（ｃ）に示すように、封緘ユニット１０を封緘解除装置２０の挿入孔２１ｈに差込み、可動部２の保持部２ａの側の一端を紙面に対して右側に押す。すると、図１の（ｄ）に示すように、封緘解除装置２０の内部に設置された比較的磁力の強い強力マグネット２２により、磁石対４における各マグネットが可動部２の内側に反発して押し込められ、嵌入孔３ａから外れることによって、可動部２の変位阻止が解除される。
【００３３】
ここで、可動部２は、バネ５によって本体部３に対して相対的に紙面に対して左側に付勢されているため、本体部３に対して相対的に紙面に対して左寄りに変位する（本体部３から可動部２の一部が飛び出す）。これにより、図１の（ｄ）に示すように、封緘ユニット１０の保持部２ａが、紙面に対して上側に口が開いた状態（封が開いた状態）となる。これにより、キーリング１が着脱可能な状態となり、キーリング１のリング端部１ａは、封緘が解除された状態となる。
【００３４】
以上のように、封緘ユニット１０によれば、本体部３に対する可動部２の相対位置を変位させるだけで、キーリング１または封緘ユニット１０を破壊することなく封緘を解除することができる。このため、封緘を解除する際に消耗品が生じることがない。また、封緘ユニット１０によれば、キーリング１および封緘ユニット１０を用意するだけで、封緘された状態と、封緘が解除された状態との切替え機能を、既存の鍵管理装置などに後付けで付加可能になる。さらに、封緘ユニット１０は、可動部２および本体部３がキーホルダとは別体であるので、既存のキーホルダをそのまま使用して鍵の管理を実現することができる。
【００３５】
このように、キーリングおよび封緘ユニット１０と、既存の鍵管理装置とを経年使用でき、鍵の付け替えのために封緘を解除しても消耗品が発生しないので、鍵管理のためのランニングコストを低減できる。
【００３６】
また、封緘解除装置２０によれば、挿入孔２１ｈに封緘ユニット１０を挿入するだけで、キーリング１または封緘ユニット１０を破壊することなく簡単に封緘を解除することができる。
【００３７】
次に、図２の（ａ）は、封緘ユニット１０を分解したときの様子を示す分解構造図である。同図に示すように、封緘ユニット１０は、大きく、可動部２、内側本体部３１、および外側本体部３２の３つの部分に分けられる。本実施形態の可動部２、内側本体部３１、および外側本体部３２の構成材料は、いずれもポリカーボネートであるが、これに限定されない。強度上問題がなければ、ポリカーボネート以外の樹脂材料を用いても良い。
【００３８】
内側本体部３１は、本体部３の内部の構造を設定するためのものである。外側本体部３２は水の侵入を極力防ぐため容器型の構造を有しており、外側本体部３２の内側に内側本体部３１を挿入すれば本体部３が構成される。内側本体部３１には可動部２が挿通される挿通孔３ｈが形成されている。この挿通孔３ｈに可動部２の保持部２ａの側と反対側が挿通されることによって、可動部２は、本体部３に対して相対的に変位可能に支持される。可動部２および内側本体部３１にはそれぞれ、凸部２ｄおよび凸部３ｄが形成されており、それぞれにバネ５の両端が装着される。
【００３９】
可動部２には、紙面に対して上下に口を開けた１組のマグネット挿入孔２ｂが形成されている。このマグネット挿入孔２ｂには、磁石対４が挿入されて、向かい合うマグネット同士が互いに反発して変位可能なように配置される。また、可動部２の紙面に対して鉛直方向に起立する最大面積を有する側面の一方には、後述する窪み２ｃが形成されている〔図２の（ａ）では実線の四角で示している〕。
【００４０】
可動部２の保持部２ａは、キーリング１のリング端部１ａを軸支するために形成された軸支孔により、リング端部１ａを保持する構造となっている。また、可動部２は、鉤型ヘッド部２ｈを備える。この鉤型ヘッド部２ｈは、キーリング１のリング端部１ａが挿入される口を紙面に対して上側に開けた状態で、上記軸支孔の周囲を鉤状に囲うように形成されている。
【００４１】
内側本体部３１は、キーリング１のリング端部１ａを軸支するためのリング支持孔３ｂを備える。このリング支持孔３ｂは、可動部２を内側本体部３１の挿通孔３ｈに挿通させたときに、上記軸支孔と重なるようになっている。また、内側本体部３１には、後述する爪部３ｃが形成されている。
【００４２】
〈可動部の抜け止め防止機構〉
次に、図２の（ｂ）は、封緘ユニット１０における本体部３からの可動部２の抜け止めを防止する機構を示す断面図である。本体部３（内側本体部３１）には、可動部２を本体部３から抜け止めするための爪部３ｃが設けられている。一方、可動部２には、爪部３ｃが引っ掛かる窪み２ｃが設けられている。可動部２は、爪部３ｃが窪み２ｃに引っ掛かることで、本体部３から抜け止めされる。これにより、可動部２が本体部３から完全に抜け出して可動部２と本体部３とが互いに分離されてしまうことが阻止される。
【００４３】
図２の（ｃ）は、封緘ユニット１０の外観（管理番号刻印側）を示す図である。同図に示すように、封緘ユニット１０の紙面に配して鉛直方向に起立する２番目に大きい面積を有する２つの側面の一方には、管理番号を刻印するためのスペースが設けられている。封緘ユニット１０に管理番号を刻印することで、封緘ユニット１０どうしを識別できるのでセキュリティ性が向上する。
【００４４】
なお、封緘ユニット１０のサイズおよび形状は、キーホルダに取付けた際に、隣のキーホルダの封緘ユニット１０とかぶらないサイズおよび形状に設定すれば良い。本実施形態の封緘ユニット１０のサイズは、長さＬ＝４４．５ｍｍ程度、長さＨ＝１６ｍｍ程度であるが、これに限定されない〔図２（ｄ）参照〕。また、本実施形態の封緘ユニット１０の最大面積を有する２つの側面間の厚さは、厚さｄ＝８ｍｍ程度であるが、これに限定されない〔図２の（ｃ）参照〕。
【００４５】
図２の（ｄ）は、封緘ユニット１０の外観（シール貼付用凹部側）を示す図である。同図に示すように、封緘ユニット１０の最大面積を有する２つの側面の一方には、ネームタグ（例えば、１２ｍｍ×３３ｍｍサイズのラベルシール）を貼り付けるための凹部が形成されている。封緘ユニット１０は、キーホルダと別体であるため、ネームタグを貼り付けるためのスペースを確保することができる。
【００４６】
〈段差とリブとの組合せ〉
次に、図３の（ａ）は、封緘ユニット１０の保持部２ａにキーリング１のリング端部１ａを保持させたときの状態を示す封緘ユニット１０の側面図であり、図３の（ｂ）は、封緘ユニット１０の正面図（保持部２ａの口が開いた側を正面とする）である。また、図３の（ｃ）は、図３の（ｂ）に示す正面図の部分拡大図である。図３の（ｃ）に示すように、キーリング１のリング端部１ａには紙面に対して上側に段差１ａ‐Ｕが形成され、下側に段差１ａ‐Ｄが形成されている。
【００４７】
一方、可動部２の保持部２ａには、段差１ａ‐Ｕおよび段差１ａ‐Ｄのそれぞれに合せて右上側リブ（リブ）２ａ‐Ｒおよび左下側リブ（リブ）２ａ‐Ｌが形成されている。これにより、キーリング１は、特定の方向のみにおいて保持部２ａに対して着脱されるようになっている。このため、キーリング１は、段差１ａ‐Ｕおよび段差１ａ‐Ｄが重なっている部分からでないと保持部２ａの口に挿入できないようになっている。このように、保持部２ａに形成された右上側リブ２ａ‐Ｒおよび左下側リブ２ａ‐Ｌにより、鍵の着脱が可能なリング端部１ａを、保持部２ａに確実に保持させることができる。これにより、キーリング１のリング端部１ａでない部分が保持部２ａに誤って保持されてしまうことによって、鍵の着脱が自由にできてしまうという状況を阻止することができる。
【００４８】
図３の（ｄ）は、封緘ユニット１０の保持部２ａにキーリング１のリング端部１ａを保持させたときにおけるキーリング１の回動範囲を示す図である。同図に示すように、キーリング１のリング端部１ａが封緘された状態では、キーリング１は、紙面に対して時計まわり、および反時計まわりのいずれにも回転し、途中で止まることなく、本体部３に当たるまで可動（回動）するように構成されている。これにより、キーリング１のリング端部１ａを封緘したときの封緘ユニット１０の収まりが良くなる。
【００４９】
〈封緘解除装置２０の構造〉
次に、図４の（ａ）は、封緘解除装置２０の外観を示す斜視図である。図４の（ｂ）は、図４の（ａ）に示す矢印Ａの方向から封緘解除装置２０の構造を見たときの様子を示す断面図である（ロック時）。図４の（ｃ）は、図４の（ａ）に示す矢印Ａの方向から封緘解除装置２０の構造を見たときの様子を示す断面図である（ロック解除時）。図４の（ｄ）は、図４の（ａ）に示す矢印Ｂの方向から封緘解除装置２０の挿入孔２１ｈの内部を見たときの様子（ロック時）を示す図である。図４の（ａ）〜図４の（ｃ）に示されるように、封緘解除装置２０は、１対の強力マグネット２２、基板２３、光電センサ２４、ロック金具２５、ソレノイド２６、およびバネ２７を備える。なお、本実施形態では、強力マグネット２２の数は１対であるが、強力マグネット２２の数はこれに限定されない。例えば、強力マグネット２２の数は、２対以上であっても良い。
【００５０】
基板２３には、光電センサ２４やソレノイド２６などの動作を制御する制御回路などが設けられる。光電センサ２４は、封緘ユニット１０が、封緘解除装置２０の挿入孔２１ｈに挿入されたことを検知するものである。ロック金具２５は、図４の（ｄ）に示すように挿入孔２１ｈの内部に飛び出ている状態（ロック時）で、封緘ユニット１０の侵入（挿入）を阻止するものである。一方、図４の（ｃ）に示すように、ロック金具２５が、挿入孔２１ｈの内部に飛び出ていない状態（ロック解除時）では、封緘ユニット１０の挿入孔２１ｈへの侵入が阻止されない。ロック金具２５は、金具支持軸２５ａによって、回動可能に支持されており、バネ２７は、ロック金具２５をロック状態となる向きに付勢している。
【００５１】
後述する鍵管理装置３０ａ（鍵管理装置３０ｂ、または鍵管理システム３０ｃ）において、鍵交換を行う際に、特定の認証操作を行うと、図４の（ｃ）に示すようにソレノイド２６のプランジャー２６ａが紙面に対して左側に引かれ、ロック金具２５が、挿入孔２１ｈの内部に飛び出ていない状態（ロック解除時）になる。これにより、封緘ユニット１０の挿入孔２１ｈへの挿入が可能になる。これにより、封緘ユニット１０を所定の位置まで差し込むことで、上述したように磁石対４と強力マグネット２２とが反発し、各マグネットが、本体部３の内部の嵌入孔３ａから外れて、リング端部１ａの封緘が解除される。
【００５２】
一方、光電センサ２４によって、封緘ユニット１０が挿入孔２１ｈに挿入されたことが検知された場合、ソレノイド２６のプランジャー２６ａは紙面に対して左側に引かれなくなり、ロック金具２５は、挿入孔２１ｈの内部に飛び出し可能な状態となる。
【００５３】
これにより、図４の（ｄ）に示すように、封緘ユニット１０が封緘解除装置２０から引き抜かれた時点で自動的に、バネ２７の付勢により、ロック金具２５が、挿入孔２１ｈの内部に飛び出す（ロック状態）。
【００５４】
〈挿入孔２１ｈおよび封緘ユニット１０の形状について〉
次に、図４の（ｄ）に示すように、封緘解除装置２０の挿入孔２１ｈは、左右非対称の形状となっている。また、これに合わせて封緘ユニット１０の形状も最大面積を有する２つの側面どうしの形状が互いに非対称な形状となっている〔図３の（ｂ）参照〕。すなわち、封緘ユニット１０は、鍵交換時に、可動部２に負担が掛らないように、封緘解除装置２０に一定の向きからしか挿入できないような形状となっている。より具体的には、本実施形態では、図３の（ｂ）に示すように、封緘ユニット１０の紙面に対して左側の側面は平面で構成し、右側の側面は凸面で構成している。図４の（ｅ）に示すように、封緘解除装置２０の挿入孔２１ｈへ差し込む際の封緘ユニット１０の向きは、可動部２のリング端部１ａが挿入される口が紙面に対して上側になる向きとしている。
【００５５】
〔実施形態２〕
実施形態２においては、実施形態１に記載した封緘解除装置２０を鍵管理装置に適用するための実施形態について説明する。まず、図５の（ａ）は、本発明の実施形態１に係る封緘解除装置２０を内蔵した一体型の鍵管理装置３０ａの外観を示す図である。
【００５６】
鍵管理装置３０ａは、上述した封緘解除装置２０を一体的に備える鍵管理装置である。鍵管理装置３０ａによれば、封緘を解除する際に消耗品が生じることを回避し、低いランニングコストで経年的な鍵管理を行うことができる。
【００５７】
また、図５の（ｂ）に示すように、既設の鍵管理装置３１ｂに対して、接続線４０ｂを介して、別体の封緘解除装置２０を後付けして、鍵管理装置３０ｂ（外付け型）を構成してもよい。この鍵管理装置３０ｂは、別体の封緘解除装置２０を後付け（外付け）した鍵管理装置である点で、上記の一体型の鍵管理装置３０ａと異なる。なお、鍵管理装置３０ｂでは、接続線４０ｂを介して、鍵管理装置３１ｂに対して封緘解除装置２０を有線で接続しているが、鍵管理装置３１ｂに対して封緘解除装置２０を無線で接続しても良い。これにより、封緘解除装置２０を自由に持ち運ぶことが可能になる。
【００５８】
鍵管理装置３０ｂによれば、キーホルダへの鍵の取り付け部品を封緘ユニット１０が連結されたキーリング１に変更し、既設の鍵管理装置３１ｂに、後付け型の封緘解除装置２０をデータ通信により接続し、鍵管理装置３１ｂから封緘解除装置２０を制御できるようにすることで、既設の鍵管理装置でも簡単に鍵交換の履歴管理を行うことができるようになる。
【００５９】
また、鍵管理装置３０ｂによれば、封緘を解除する際に消耗品が生じることを回避し、低いランニングコストで経年的な鍵管理を行うことができる。また、鍵管理装置３１ｂに対して封緘解除装置２０を無線で接続した場合、封緘解除装置２０の挿入孔２１ｈに封緘ユニット１０を挿入するだけで封緘を解除することができるため、例えば、キーホルダを鍵管理装置３０ｂに差し込んだままの状態で、鍵交換が可能になる。このため、既存の鍵管理装置に対して鍵交換機能を持たせ易くなるというメリットが得られる。
【００６０】
但し、この場合、封緘ユニット１０には、後述するＲＦＩＤタグ６を搭載し、封緘解除装置２０には、ＲＦＩＤリーダを搭載しておき、自動認証で、封緘ユニット１０を封緘解除装置２０の挿入孔２１ｈへ差し込むことができるようにする。より具体的には、封緘解除装置２０のＲＦＩＤリーダが、ＲＦＩＤタグ６から封緘ユニット１０の識別情報（管理番号）を読取り、封緘ユニット１０が鍵交換を行うべき封緘ユニットであると認証されれば、上述した図４の（ｄ）に示すロック金具２５によるロックを解除する。
【００６１】
〔鍵交換操作の手順について〕
以下、上述した鍵管理装置３０ａまたは鍵管理装置３０ｂ（以下、単に「鍵管理装置」と記載する）を用いた鍵交換操作の手順について説明する。
【００６２】
〈準備設定〉
鍵交換操作を行うためには、所定の数の予め設定された「鍵交換操作を行う際に、返却しておかなければいけない鍵」が全て返却されていることを条件とする。すなわち、鍵交換操作を行う際に、鍵管理装置で管理する全数の鍵が返却されていなくても特定の鍵だけが返却されていれば良い。例えば、封緘ユニット１０が連結されていないキーホルダが、嵌め殺し型の封緘具と連結されたキーホルダであれば、鍵交換操作を行う際に必ずしも鍵管理装置に返却されていなくても良い。また、封緘ユニット１０によれば、後付けでキーホルダに連結することが可能になるので、例えば、所定の数の予め設定された「鍵交換操作を行う際に、返却しておかなければいけない鍵」だけを、封緘ユニット１０を連結したキーホルダとすれば良い。
【００６３】
〈操作手順〉
鍵交換操作の手順は、以下のとおりとなる。
（１）鍵管理装置の操作メニューから鍵交換操作を選択して権限確認のため本人認証を行う。鍵交換権限の確認後、封緘解除装置へのアクセスが可能となる。
（２）鍵を付け替えるキーホルダを鍵管理装置から抜き取る。
（３）封緘解除装置２０が封緘ユニット１０を差し込み可能な状態になる。この差し込み可能な状態になる時点までは、図４の（ｄ）に示すように、封緘解除装置２０の挿入孔２１ｈの内部にロック金具２５が飛び出しているため、封緘ユニット１０は奥まで差し込めない。
（４）キーホルダのキーリング１に取り付けてある封緘ユニット１０を封緘解除装置２０に差し込んでリング端部１ａの封緘を解除する。封緘ユニット１０を封緘解除装置２０の挿入孔２１ｈに差し込んで、封緘ユニット１０の可動部２の側を押すと、可動部２の一部が本体部３から飛び出し、封緘ユニット１０によるリング端部１ａの封緘が解除され鍵交換が可能となる。このとき、封緘ユニット１０が封緘解除装置２０の挿入孔２１ｈに差し込まれたことを光電センサ２４が検知すると、ソレノイド２６のプランジャー２６ａは紙面に対して左側に引かれなくなり、ロック金具２５は、挿入孔２１ｈの内部に飛び出し可能な状態となる。
（５）封緘ユニット１０を封緘解除装置２０から引き抜く。これにより、自動的に、バネ２７の付勢により、図４の（ｄ）に示すように、ロック金具２５が、挿入孔２１ｈの内部に飛び出してロック状態になり、封緘ユニット１０が差込不可能な状態になる。
（６）鍵の交換を実施し、封緘ユニット１０の保持部２ａを本体部３の内部に押し込み、キーリング１のリング端部１ａを封緘した状態にする。
（７）キーホルダを鍵管理装置の所定箇所に差し込んで鍵を返却する。
【００６４】
以上の（１）〜（７）の各操作については、いつ、誰が、何を、どうしたかのイベントが記録される。これにより、鍵交換の履歴をとる。例えば、封緘ユニット１０の封緘解除のための本人認証機能を設けることで封緘解除を行える人を限定し、いつだれがそれを行ったかをイベント記録する。
【００６５】
〔実施形態３〕
図５の（ｃ）は、本発明の実施形態３に係る鍵管理システム（鍵管理装置）３０ｃの外観を示す図である。
【００６６】
同図に示すように、接続線４０ｃを介して、封緘解除装置２０（外付け型）をパーソナルコンピュータ３１ｃに接続すれば、店舗に複数ある鍵管理装置の鍵の交換履歴を一元管理することが可能になる。これにより、例えば、一つの店舗に複数の鍵管理装置があっても封緘解除装置２０を１台だけ設置するだけで鍵の交換履歴を一元管理することが可能になる。なお、本実施形態では、接続線４０ｃを介して、パーソナルコンピュータ３１ｃに対して封緘解除装置２０を有線で接続しているが、パーソナルコンピュータ３１ｃに対して封緘解除装置２０を無線で接続しても良い。これにより、封緘解除装置２０を自由に持ち運ぶことが可能になる。
【００６７】
〈操作手順〉
鍵交換操作の手順は、以下のとおりとなる。
（１）パーソナルコンピュータ３１ｃを起動し、管理ソフトを立ち上げる（この際、利用者はパスワードを入力する）。
（２）封緘ユニット１０が後述するＲＦＩＤタグ６を備えていない場合、鍵交換を行う封緘ユニット１０の鍵管理装置名（管理番号）、および鍵番号を入力する。なお、封緘ユニット１０がＲＦＩＤタグ６を備えている場合は、例えば、封緘解除装置にＲＦＩＤリーダを設けることで、自動認証により、封緘ユニット１０を識別すれば良いので、封緘ユニット１０の鍵管理装置名および鍵番号の入力は不要になる。
（３）封緘解除装置２０が封緘ユニット１０を差し込み可能な状態になる。この差し込み可能な状態になる時点までは、上述したロック金具２５の存在により封緘ユニット１０は奥まで差し込めない。
（４）キーホルダのキーリング１に取り付けてある封緘ユニット１０を封緘解除装置２０に差し込んでリング端部１ａの封緘を解除する。
（５）封緘ユニット１０を封緘解除装置２０から引き抜く。これにより、自動的に、図４の（ｄ）に示すように、ロック金具２５が、挿入孔２１ｈの内部に飛び出してロック状態になり、封緘ユニット１０が差込不可能な状態になる。
（６）鍵の交換を実施し、封緘ユニット１０の保持部２ａを本体部３の内部に押し込み、キーリング１のリング端部１ａを封緘した状態にする。
（７）他の封緘ユニット１０の鍵を交換する場合は、（２）に戻る。一方、鍵交換を行わない場合は、操作を終了する。
【００６８】
以上の（１）〜（７）の各操作については、いつ、誰が、何を、どうしたかのイベントが記録される。これにより、鍵交換の履歴をとる。例えば、封緘ユニット１０の封緘解除のための本人認証機能を設けることで封緘解除を行える人を限定し、いつだれがそれを行ったかをイベント記録する。
【００６９】
〈キーホルダと封緘ユニットの違いについて〉
図５の（ｄ）は、上記鍵管理装置または鍵管理システムで管理する封緘ユニット１０が連結されたキーホルダの構成を示す図である。同図に示すように、上述した封緘ユニット１０は、キーホルダとは別体である。言い換えれば、キーホルダと異なり、「封緘ユニット１０」は、鍵管理装置に差し込まれることがない小道具である。一方、「キーホルダ」は、鍵管理装置に差し込まれることによってキーリング１に吊るした鍵を管理する小道具である。
【００７０】
〈封緘ユニット１０のオプションについて〉
次に、封緘ユニット１０のオプションについて説明する。図６の（ａ）は、封緘ユニット１０にオプションとしての磁性体ケース５０を装着する前の様子を示す図である。一方、図６の（ｂ）は、封緘ユニット１０に磁性体ケース５０を装着した後の様子を示す図である。上述した封緘ユニット１０の漏れ磁束は磁気カードに影響がないような大きさとする。磁性体ケース５０は、漏れ磁束を、ペースメーカーへの影響がないようにするため、磁気シールド用のオプションとして用意したものである。封緘ユニット１０の保持部２ａの側とは反対側を、磁性体ケース５０に形成されたユニット挿入孔５０ｈへ挿入することで、封緘ユニット１０に磁性体ケース５０が装着される。
【００７１】
なお、鍵交換時には封緘ユニット１０を磁性体ケース５０から取り出さなければならないため、磁性体ケース５０は封緘ユニット１０に対して着脱可能としている。また、磁性体ケース５０のカバー厚みは、ペースメーカーに影響がない程度の厚みとする。
【００７２】
次に、図６の（ｃ）は、封緘ユニット１０にオプションとしてのＲＦＩＤタグ６を搭載したときの様子を示す図である。ＲＦＩＤタグ６には、封緘ユニット１０を識別する情報や、その封緘ユニット１０を管理する鍵管理装置を識別する情報などが予め記録される。このように、封緘ユニット１０を識別するためのＲＦＩＤタグ６を搭載することで、封緘解除装置２０で封緘を解除する封緘ユニット１０を識別して封緘ユニット１０の封緘解除の可否を管理することができる。また、封緘ユニット１０にＲＦＩＤタグ６を搭載し、封緘解除装置２０にＲＦＩＤタグリーダを搭載することで、自動認証により、封緘解除装置２０のロック金具２５によるロックの解除を行い、封緘ユニット１０を封緘解除装置２０の挿入孔２１ｈに差込み可能とすることができる。より具体的には、封緘解除装置２０のＲＦＩＤリーダが、ＲＦＩＤタグ６から封緘ユニット１０の識別情報（管理番号）を読取り、封緘ユニット１０が鍵交換を行うべき封緘ユニットであると認証されれば、上述した図４の（ｄ）に示すロック金具２５によるロックを解除する。
【００７３】
また、例えば、キーホルダ側にＲＦＩＤタグを付けることによって、鍵管理装置に対するキーホルダの着脱を記録し、封緘ユニット１０のＲＦＩＤタグ６で鍵交換が行われたか否かを記録することにより２重のセキュリティ管理が可能になる。
【００７４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７５】
本発明は、キーリングを封緘する封緘ユニット、該封緘ユニットの封緘を解除する封緘解除装置、および該封緘解除装置を備える鍵管理装置に適用することができる。
【符号の説明】
【００７６】
１    キーリング
１ａ  リング端部
１ａ‐Ｕ  段差
１ａ‐Ｄ  段差
２    可動部
２ａ  保持部
２ａ‐Ｒ  右上側リブ（リブ）
２ａ‐Ｌ  左下側リブ（リブ）
３    本体部
３ａ  嵌入孔
４    磁石対
１０  封緘ユニット
２０  封緘解除装置
２１ｈ  挿入孔
３０ａ  鍵管理装置
３０ｂ  鍵管理装置
３０ｃ  鍵管理システム（鍵管理装置）
【図１】
2015161149.tif 000003
【図２】
2015161149.tif 000004
【図３】
2015161149.tif 000005
【図４】
2015161149.tif 000006
【図５】
2015161149.tif 000007
【図６】
2015161149.tif 000008